(57)【要約】【課題】異なるガラスファイバ径を有する複数の光ファイバ心線の被覆を簡便な構成で除去可能な光ファイバ被覆除去器を提供する。【解決手段】光ファイバ心線１００の被覆１００ｂを除去する光ファイバ被覆除去器１は、一対の被覆除去刃３２Ａ，３２Ｂが噛み合う際に互いに接合する接合面３８Ａ，３８Ｂをそれぞれ有する一対の除去刃ベース３３Ａ，３３Ｂ部と、一対の除去刃ベース部３３Ａ，３３Ｂに形成または取り付けられる一対の刃部３４Ａ，３４Ｂと、を備えている。刃部３４Ａ，３４Ｂは除去刃ベース部３３Ａ，３３Ｂが互いに離れた状態から接合したときに所定の間隔ｄを保ちながら被覆１００ｂに切込む一対のエッジ部３６Ａ，３６Ｂを有し、エッジ部３６Ａ，３６Ｂは接合面３８Ａ，３８Ｂに対して傾斜して形成され、刃部３４Ａ，３４Ｂのいずれか一方が接合面３８Ａ，３８Ｂと平行な方向に移動されることにより、エッジ部３６Ａ，３６Ｂの間隔ｄが可変である。【選択図】図３
2014038207.tif 000002
【特許請求の範囲】
【請求項１】
光ファイバの被覆を除去する光ファイバ被覆除去器であって、
一対の被覆除去刃を備え、
前記一対の被覆除去刃は、前記一対の被覆除去刃が噛み合う際に互いに接合する接合面をそれぞれ有する一対の除去刃ベース部と、前記一対の除去刃ベース部に形成または取り付けられる一対の刃部と、
を備え、
前記一対の刃部は前記一対の除去刃ベース部が互いに離れた状態から接合したときに所定の間隔を保ちながら前記被覆に切れ込む一対のエッジ部を有し、
前記一対のエッジ部は前記接合面に対して傾斜して形成され、
前記一対の被覆除去刃の一方が前記一対の被覆除去刃の他方に対して前記接合面と平行な方向に移動されることにより、前記一対のエッジ部の前記間隔が可変である、光ファイバ被覆除去器。
【請求項２】
前記一対のエッジ部は互いに平行となるように直線状に形成されている、請求項１に記載の光ファイバ被覆除去器。
【請求項３】
前記一対のエッジ部は、前記接合面に対して傾斜する方向が互いに異なるよう直線状に形成されている、請求項１に記載の光ファイバ被覆除去器。
【請求項４】
前記一対のエッジ部の少なくとも一方は凸曲線状あるいは凹曲線状に形成されている、請求項１に記載の光ファイバ被覆除去器。
【請求項５】
前記一対の被覆除去刃には、前記一対の被覆除去刃同士の前記接合面と平行な方向における相対位置と前記間隔との対応を示す目盛りが形成されている、請求項１から４のいずれか一項に記載の光ファイバ被覆除去器。
【発明の詳細な説明】
【技術分野】
【０００１】
本発明は、光ファイバの被覆を除去するための光ファイバ被覆除去器に関する。
【背景技術】
【０００２】
従来の光ファイバ被覆除去器として、対向する一対の切断刃を有しており、この一対の切断刃が、たとえば直径１２５μｍのクラッド径を有する光ファイバの被覆を除去するため、光ファイバ被覆除去器が閉じされた際にこのクラッド径よりも僅かに大きい間隔（たとえば１４０μｍ）で噛み合うように設計されているものが知られている。従来の光ファイバ被覆除去器においては、１２５μｍのクラッド径よりも太径（たとえば１５０μｍ）や細径（たとえば８０μｍ）のクラッド径を有する光ファイバの被覆を除去したい場合は、切断刃の間隔を各々のクラッド径に応じた間隔とするため、一対の切断刃を交換する必要があった。
【０００３】
これに対し、特許文献１には、切断刃部材およびそれを固定保持するホルダを有し、切断刃部材が一定の間隔をおいて対向している一対の第１直線刃部と第１直線刃部の間隔よりも大きな間隔をおいて対向している一対の第２直線刃部とを備え、異なる被覆径に対応させた被覆除去が可能な光ファイバ被覆除去器が記載されている。
【先行技術文献】
【特許文献】
【０００４】
【特許文献１】特開平６−１２３８１１号公報
【発明の概要】
【発明が解決しようとする課題】
【０００５】
しかし、特許文献１の光ファイバ被覆除去器においては、異なるファイバ径に対応して切断刃の間隔を複数設定するために、ファイバ径の種類だけ切断刃に段を設ける必要がある。そのため、切断刃のエッジ形状が複雑となり、生産コストが増大してしまう懸念がある。
【０００６】
本発明の目的は、異なるガラスファイバ径を有する複数の光ファイバ心線の被覆を簡便な構成で除去可能な光ファイバ被覆除去器を提供することにある。
【課題を解決するための手段】
【０００７】
上記課題を解決することのできる本発明に係る光ファイバ被覆除去器は、
光ファイバ心線の被覆を除去する光ファイバ被覆除去器であって、
一対の被覆除去刃を備え、
前記一対の被覆除去刃は、前記一対の被覆除去刃が噛み合う際に互いに接合する接合面をそれぞれ有する一対の除去刃ベース部と、前記一対の除去刃ベース部に形成または取り付けられる一対の刃部と、
を備え、
前記一対の刃部は前記一対の除去刃ベース部が互いに離れた状態から接合したときに所定の間隔を保ちながら前記被覆に切り込む一対のエッジ部を有し、
前記一対のエッジ部は前記接合面に対して傾斜して形成され、
前記一対の被覆除去刃の一方が前記一対の被覆除去刃の他方に対して前記接合面と平行な方向に移動されることにより、前記一対のエッジ部の前記間隔が可変であることを特徴とする。
【０００８】
また、本発明の光ファイバ被覆除去器において、前記一対のエッジ部は互いに平行となるように直線状に形成されていてもよい。
【０００９】
また、本発明の光ファイバ被覆除去器において、前記一対のエッジ部は、前記接合面に対して傾斜する方向が互いに異なるよう直線状に形成されていてもよい。
【００１０】
また、本発明の光ファイバ被覆除去器において、前記一対のエッジ部の少なくとも一方は凸曲線状あるいは凹曲線状に形成されていてもよい。
【００１１】
また、本発明の光ファイバ被覆除去器において、前記一対の被覆除去刃には、前記一対の被覆除去刃同士の前記接合面と平行な方向における相対位置と前記間隔との対応を示す目盛りが形成されていてもよい。
【発明の効果】
【００１２】
本発明の光ファイバ被覆除去器によれば、一対のエッジ部の少なくとも一方は除去刃ベース部の接合面に対して傾斜して形成され、一対の被覆除去刃の一方が他方に対して接合面と平行な方向に移動されることにより、光ファイバ心線の被覆に切れ込む一対のエッジ部の間隔が可変である。これにより、簡便な構成で異なるガラスファイバ径を有する光ファイバ心線の被覆除去に容易に対応することができる。
【図面の簡単な説明】
【００１３】
【図１】本発明に係る光ファイバ被覆除去器の実施形態例を示す斜視図である。
【図２】図１の光ファイバ被覆除去器の蓋を開いて光ファイバ心線をセットした状態の斜視図である。
【図３】一対の被覆除去刃の一例を示す正面図である。
【図４】図３の一対の被覆除去刃を一方にずらした場合の例を示す正面図である。
【図５】図３の一対の被覆除去刃を他方にずらした場合の例を示す正面図である。
【図６】光ファイバ心線とヒータとの位置関係を示す正面図である。
【図７】一対の被覆除去刃の別の例を示す正面図である。
【図８】一対の被覆除去刃の駆動機構の例を示す正面図である。
【発明を実施するための形態】
【００１４】
以下、本発明に係る光ファイバ被覆除去器の実施の形態の例を、図面を参照して説明する。
図１および図２に示すように、光ファイバ被覆除去器１は、被覆除去器本体１０と、この被覆除去器本体１０の一端側に連結された光ファイバ固定部２０とを有している。
【００１５】
光ファイバ固定部２０は、被覆除去器本体１０側へ延在する２本のスライドシャフト２１を有しており、これらのスライドシャフト２１により、光ファイバ固定部２０は、被覆除去器本体１０に対して接離可能にスライド自在となっている。
【００１６】
光ファイバ固定部２０は、その上部にホルダ押さえ蓋２３が開閉自在に設けられると共に、ホルダ押さえ蓋２３を開いて露出した箇所の上面にホルダ搭載部２２が形成されている。このホルダ搭載部２２に、光ファイバ心線１００を上下から挟んで保持した光ファイバホルダ２００が載置される。
【００１７】
光ファイバ心線１００は、ガラスファイバ１００ａを樹脂からなる被覆１００ｂで覆ったものであり（図３参照）、光ファイバホルダ２００は、光ファイバ心線１００の端部近傍に装着される。そして、この光ファイバホルダ２００をホルダ搭載部２２に載置した状態で、ホルダ押さえ蓋２３を閉じることにより、光ファイバホルダ２００が光ファイバ固定部２０に保持される。この光ファイバホルダ２００の光ファイバ心線１００に対する装着位置を調整する、または光ファイバホルダ２００に装着した後に光ファイバ心線１００を所定の長さで切断することにより、被覆除去したい部分である光ファイバ心線１００の被覆１００ｂにおける除去対象部分の長さを決めることができる。
【００１８】
被覆除去器本体１０において、光ファイバ固定部２０が連結された一端側に、被覆除去部３０が設けられている。この被覆除去部３０には、その上部に、光ファイバ押さえ蓋３１が開閉自在に設けられている。
また、被覆除去部３０における光ファイバ押さえ蓋３１を開いて露出した箇所の上部前面、及び光ファイバ押さえ蓋３１の前面には、一対の被覆除去刃３２Ａ，３２Ｂがそれぞれ設けられている。一対の被覆除去刃３２Ａ，３２Ｂは、被覆除去部３０に配置された光ファイバ心線１００の被覆１００ｂに切込みを入れるものである。被覆除去部３０に対して光ファイバ押さえ蓋３１を閉じることにより、被覆除去刃３２Ａ，３２Ｂによって光ファイバ心線１００の被覆１００ｂだけが切断される。
【００１９】
さらに、被覆除去部３０は、光ファイバ心線加熱部４０を有している。光ファイバ心線加熱部４０は、板状のヒータ４１と、このヒータ４１を搭載したヒータ支持部材４２とを有している。光ファイバ心線１００は、このヒータ４１のヒータ面４１ａ（図６参照）の中央に載置されて加熱処理される。
【００２０】
また、被覆除去部３０には、光ファイバ押さえ蓋３１の開閉でスイッチがＯＮ／ＯＦＦされるヒータ通電スイッチ（図示省略）が設けられており、光ファイバ押さえ蓋３１を閉じると、このヒータ通電スイッチがＯＮになり、ヒータ４１へ電力が供給される。
【００２１】
さらに、被覆除去器本体１０には、光ファイバ固定部２０の連結側と反対側の他端側に、電源部５０が設けられている。この電源部５０には、内部電源として、たとえば４〜８本の電池が収容可能である。また、この電源部５０には、電源コード６０が挿抜可能であり、この電源コード６０を挿し込むことにより、外部電源からの電力の供給が可能である。
【００２２】
次に、一対の被覆除去刃３２Ａ，３２Ｂの具体的な構成について、図３を参照して説明する。
一対の被覆除去刃３２Ａ，３２Ｂは、一対の被覆除去刃３２Ａ，３２Ｂが噛み合う際に互いに接合する接合面３８Ａ，３８Ｂをそれぞれ有する一対の除去刃ベース部３３Ａ，３３Ｂと、一対の除去刃ベース部３３Ａ，３３Ｂに形成または取り付けられる一対の刃部３４Ａ，３４Ｂと、を備えている。
【００２３】
一対の除去刃ベース部３３Ａ，３３Ｂの長手方向（図３の左右方向）における両端には、取付孔３５が設けられている。この取付孔３５は長孔形状であるため、取付孔３５に図示しないネジ等を挿通することにより一対の除去刃ベース部３３Ａ，３３Ｂは被覆除去部３０あるいは光ファイバ押さえ蓋３１に対して任意の位置で取り付け可能となっている。取付孔３５の長手方向は、除去刃ベース部３３Ａ，３３Ｂの長手方向および接合面３８Ａ，３８Ｂの面方向と一致している。そのため、除去刃ベース部３３Ａ，３３Ｂは、接合面３８Ａ，３８Ｂの面方向に沿ってその長手方向に位置調整が可能である。
なお、各除去刃ベース部３３Ａ，３３Ｂの長手方向の一方の端部に送りネジ機構が設けられていてもよい。送りネジ機構により除去刃ベース部３３Ａ，３３Ｂをその端部から左右方向に進退移動させて、除去刃ベース部３３Ａ，３３Ｂを任意の位置に配置することもできる。
【００２４】
一対の刃部３４Ａ，３４Ｂは、一対の除去刃ベース部３３Ａ，３３Ｂが互いに離れた状態から接合したときに所定の間隔ｄを保ちながら被覆１００ｂに切込む一対のエッジ部３６Ａ，３６Ｂを有している。
一対のエッジ部３６Ａ，３６Ｂは、互いに平行となるように直線状に形成されるとともに、除去刃ベース部３３Ａ，３３Ｂの接合面３８Ａ，３８Ｂに対して傾斜して形成されている。そのため、接合面３８Ａ，３８Ｂと平行な方向において一対の刃部３４Ａ，３４Ｂのうちいずれか一方が他方に対して移動して取り付けられることにより、一対のエッジ部３６Ａ，３６Ｂの間隔ｄを可変とすることができる。
【００２５】
また、一対の除去刃ベース部３３Ａ，３３Ｂの接合面３８Ａ，３８Ｂには、一対の刃部３４Ａ，３４Ｂ同士の接合面３８Ａ，３８Ｂと平行な方向における相対位置とエッジ部３６Ａ，３６Ｂの間隔ｄとの対応を示すための目盛り３７Ａ，３７Ｂが形成されている。すなわち、この目盛り３７Ａ，３７Ｂ同士が一致するようにして、一対の除去刃ベース部３３Ａ，３３Ｂが被覆除去部３０に取り付けられることで、被覆除去したい光ファイバ心線１００のガラスファイバ１００ａの外径に合わせてエッジ部３６Ａ，３６Ｂの間隔ｄを任意に設定することができる。
【００２６】
たとえば、図３に示すように、上方の目盛り３７Ａを下方の目盛り３７Ｂの中央の線に合わせた状態で、除去刃ベース部３３Ａ，３３Ｂが被覆除去部３０に取り付けられた場合、エッジ部３６Ａ，３６Ｂの間隔ｄはたとえば１４０μｍとなるよう設定されている。これにより、一般的なクラッド径である直径１２５μｍのガラスファイバ１００ａを有する光ファイバ心線１００の被覆１００ｂに切込みを入れて適切に除去することができる。
【００２７】
また、図４に示すように、目盛り３７Ａを目盛り３７Ｂの右端の線に合わせた状態で、除去刃ベース部３３Ａ，３３Ｂが被覆除去部３０に取り付けられた場合、エッジ部３６Ａ，３６Ｂの間隔ｄ１は図３の場合の間隔ｄよりも広くなる。このときの間隔ｄ１は、たとえば１６０μｍとなるよう設定されている。これにより、太径（たとえば１５０μｍ）のガラスファイバ１０１ａの外周を覆う被覆１０１ｂに切込みを入れて適切に除去することができる。
【００２８】
さらに、図５に示すように、目盛り３７Ａを目盛り３７Ｂの左端の線に合わせた状態で、除去刃ベース部３３Ａ，３３Ｂが被覆除去部３０に取り付けられた場合、エッジ部３６Ａ，３６Ｂの間隔ｄ２は図３の場合の間隔ｄよりも狭くなる。このときの間隔ｄ２は、たとえば９０μｍとなるよう設定されている。これにより、細径（たとえば８０μｍ）のガラスファイバ１０２ａの外周を覆う被覆１０２ｂに切込みを入れて適切に除去することができる。
【００２９】
なお、ヒータ４１は被覆除去部３０に固定されており、光ファイバ心線１００はヒータ４１のヒータ面の中央に載置される。ガラスファイバ径や被覆厚が変わることにより光ファイバ心線１００の外径が異なる場合、ヒータ４１のヒータ面４１ａからガラスファイバ１００ａ，１０１ａ，１０２ａの中心軸までの高さも異なる。そのため、被覆除去刃３２Ａ，３２Ｂとヒータ４１との相対位置が一定であると、光ファイバ心線１００の外径によって、被覆除去刃３２Ａ，３２Ｂのエッジ部３６Ａ，３６Ｂ間の中心とガラスファイバ１００ａ，１０１ａ，１０２ａの中心軸とがずれてしまう場合がある。この場合、一対の被覆除去刃３２Ａ，３２Ｂを噛み合わせたときに被覆１００ｂ，１０１ｂ，１０２ｂを適切に除去することができず、好ましくない。
【００３０】
そのため、光ファイバ心線１００の外径が異なる場合であっても、被覆除去刃３２Ａ，３２Ｂのエッジ部３６Ａ，３６Ｂ間の中心とガラスファイバ１００ａ，１０１ａ，１０２ａの中心軸とが一致するよう、図６（ａ）〜（ｃ）に示すように、ヒータ４１と下方の被覆除去刃３２Ｂとの相対位置を図中の左右方向にずらすことが可能であることが望ましい。
なお、ヒータ４１のヒータ面４１ａの高さを可変とする構成を設け、被覆除去刃３２Ａ，３２Ｂのエッジ部３６Ａ，３６Ｂ間の中心とガラスファイバ１００ａ，１０１ａ，１０２ａの中心軸とが一致するように、ヒータ４１のヒータ面の高さを変更してもよい。
【００３１】
次に、上記の光ファイバ被覆除去器１によって光ファイバ心線１００の端部の被覆１００ｂを除去し、ガラスファイバ１００ａを露出させる方法について説明する。
光ファイバ心線１００の端部の被覆１００ｂを除去するには、まず、一対の刃部３４Ａ，３４Ｂのエッジ部３６Ａ，３６Ｂの間隔ｄが光ファイバ心線１００のガラスファイバ１００ａの外径に合った間隔となるように、ネジ等を取付孔３５に挿通して一対の除去刃ベース部３３Ａ，３３Ｂを被覆除去部３０あるいは光ファイバ押さえ蓋３１の任意の位置に取り付ける。このとき、目盛り３７Ａ，３８Ａを合わせるように除去刃ベース部３３Ａ，３３Ｂの位置を決めると、間隔ｄの調整を容易かつ正確に行うことができる。
【００３２】
次に、被覆除去器本体１０と光ファイバ固定部２０とを接近させた状態で、光ファイバ押さえ蓋３１及びホルダ押さえ蓋２３を開き、光ファイバ固定部２０のホルダ搭載部２２に、光ファイバ心線１００に取り付けた光ファイバホルダ２００をセットし、光ファイバ心線１００の光ファイバホルダ２００よりも先端側をヒータ４１のヒータ面上の中央に配置する。
【００３３】
次に、ホルダ押さえ蓋２３を閉じるとともに、光ファイバ押さえ蓋３１を閉じる。
すると、一対の刃部３４Ａ，３４Ｂによって光ファイバ心線１００の被覆１００ｂ（１０１ｂ，１０２ｂ）のみが切込まれるとともに、光ファイバ押さえ蓋３１を閉じたことによってヒータ通電スイッチがＯＮになり、ヒータ４１が通電される。
そして、ヒータ４１上に載置された光ファイバ心線１００の除去対象部分の被覆１００ｂが、ヒータ４１によって高速昇温され軟化する。
【００３４】
次に、被覆除去器本体１０と光ファイバ固定部２０とをそれぞれ把持し、光ファイバ固定部２０を被覆除去器本体１０より離間させる方向に動かす。このようにすると、一対の刃部３４Ａ，３４Ｂによる切込み箇所よりも先端側で加熱されて軟化した被覆１００ｂのみが除去され、光ファイバ心線１００の端部でガラスファイバ１００ａ（１０１ａ，１０２ａ）が露出される。
被覆１００ｂの除去作業が終了した時点で、光ファイバ押さえ蓋３１を開くと、ヒータ通電スイッチがＯＦＦになり、ヒータ４１への通電が停止される。
【００３５】
以上説明した本実施形態に係る光ファイバ被覆除去器１によれば、一対のエッジ部３６Ａ，３６Ｂは除去刃ベース部３３Ａ，３３Ｂの接合面３８Ａ，３８Ｂに対して傾斜して形成され、一対の刃部３４Ａ,３４Ｂの一方が他方に対して接合面３８Ａ，３８Ｂと平行な方向に移動されることにより、光ファイバ心線１００の被覆１００ｂ,１０１ｂ，１０２ｂに切込む一対のエッジ部３６Ａ，３６Ｂの間隔ｄ，ｄ１，ｄ２が可変であるため、異なるガラスファイバ径を有する光ファイバ心線１００の被覆１００ｂ,１０１ｂ，１０２ｂを簡便な構成で容易に除去することができる。
【００３６】
また、一対のエッジ部３６Ａ，３６Ｂの間隔が平行ではなく一方に開くように形成されていた場合は、光ファイバ心線１００が押し出されるように逃げてしまう可能性がある。しかし、本実施形態によれば、一対のエッジ部３６Ａ，３６Ｂは、一対の被覆除去刃３２Ａ，３２Ｂ同士が噛み合う際に互いの間隔が平行となるように形成されているため、光ファイバ心線１００が逃げてしまうことがなく、確実に被覆１００ｂ,１０１ｂ，１０２ｂを除去することができる。
【００３７】
さらに、一対の除去刃ベース部３３Ａ，３３Ｂには、一対の刃部３４Ａ，３４Ｂ同士の相対位置を示すための目盛り３７Ａ，３７Ｂが形成されているため、ガラスファイバ１００ａ,１０１ａ，１０２ａの外径に合わせて適切な間隔ｄ，ｄ１，ｄ２を容易に設定することができる。
【００３８】
以上において本発明の実施の形態の一例を説明したが、本発明は上記実施の形態に限定されるものでなく、必要に応じて他の構成を採用することが可能である。
【００３９】
また、上記実施形態の光ファイバ被覆除去器１では、一対の刃部３４Ａ，３４Ｂはそのエッジ部３６Ａ，３６Ｂが互いに平行となるようにエッジ部３６Ａ，３６Ｂの傾斜角度が一致して形成されているが、エッジ部３６Ａ，３６Ｂの形状はこれに限られない。
たとえば、図７（ａ）に示すように、上方の刃部３４Ａ１のエッジ部３６Ａ１が凸状の曲線を有し、下方の刃部３４Ｂ１のエッジ部３６Ｂ１が凹状の曲線を有する構成であってもよい。また、図７（ｂ）に示すように、下方の刃部３４Ｂ１のエッジ部３６Ｂ１が凹状の曲線を有するとともに、上方の刃部３４Ａ２のエッジ部３６Ａ２も凹状の曲線を有する構成を採用してもよい。
【００４０】
図７（ａ）および（ｂ）に示される構成であっても、一対の刃部３４Ａ１，３４Ａ２および３４Ｂ１の一方が他方に対して接合面３８Ａ，３８Ｂと平行な方向に移動されて、刃部３４Ａ１，３４Ａ２および３４Ｂ１同士の相対位置が変更されることにより、一対のエッジ部３６Ａ１，３４Ａ２，３６Ｂ１の間隔ｄを可変とすることができ、上記実施形態と同様の効果を得ることができる。また、図７（ａ）では光ファイバを挟む上下のエッジ部３６Ａ１，３６Ｂ１同士が略一定の間隔を維持しており、図７（ｂ）では上下のエッジ部３６Ａ２，３６Ｂ１の間隔は中心部が広く端部が狭い中開きの形状となっているため、上記の実施形態と同様に、被覆除去刃３２Ａ，３２Ｂを噛み合わせたときに光ファイバ心線１００が横に逃げてしまうことがなく、確実に被覆１００ｂ，１０１ｂ，１０２ｂを除去することができる。
【００４１】
さらに、上記実施形態の光ファイバ被覆除去器１では、一対の除去刃ベース部３３Ａ，３３Ｂに設けられた長孔状の取付孔３５にネジ等を挿通させて任意の位置に取り付けたり、除去刃ベース部３３Ａ，３３Ｂを送りネジ機構により左右に進退移動することによって、除去刃ベース部３３Ａ，３３Ｂを被覆除去時の刃部３４Ａ,３４Ｂの移動方向とは異なる方向に沿って移動可能としているが、駆動機構系によって除去刃ベース部３３Ａ，３３Ｂの移動を自動で設定することもできる。
【００４２】
駆動機構系としては、たとえば以下の構成を採用してもよい。図８（ａ）に示すように、上方の被覆除去刃３２Ａの一端（図中の左端）と上方の被覆除去刃３２Ａを支持する光ファイバ押さえ蓋３１のベース部３１ａとの間にバネ３７を設け、上方の被覆除去刃３２Ａの他端（図中の右端）とベース部３１ａとの間にマイクロヘッド３８を設ける。マイクロヘッド３８の先端は上方の被覆除去刃３２Ａの他端に接触し、上方の被覆除去刃３２Ａが他端側から一端側にスライド可能とされている。
また、下方の被覆除去刃３２Ｂの一端（図中の左端）と下方の被覆除去刃３２Ｂを支持する被覆除去部３０のベース部３０ａとの間にマイクロヘッド３８を設け、下方の被覆除去刃３２Ｂの他端（図中の右端）とベース部３０ａとの間にバネ３７を設ける。マイクロヘッド３８の先端は下方の被覆除去刃３２Ｂの一端に接触し、下方の被覆除去刃３２Ｂが一端側から他端側にスライド可能とされている。
上下のマイクロヘッド３８を図示しないアクチュエータによりそれぞれ移動させることで一対の被覆除去刃３２Ａ，３２Ｂを互いにスライド移動させることができる。
【００４３】
また、図８（ｂ）に示すように、上下の被覆除去刃３２Ａ，３２Ｂの左右両端とベース部３１ａ，３０ａとの間にそれぞれバネ３７と偏心カム３９を設け、上下の偏心カム３９を図示しないアクチュエータにより偏心させることで一対の被覆除去刃３２Ａ，３２Ｂを互いにスライド移動させる構成としてもよい。
【００４４】
また、除去刃３２Ａ，３２Ｂに目盛り３７Ａ，３７Ｂを設けるのではなく、センサ等によってエッジ部３６Ａ，３６Ｂの間隔ｄを検出して刃部３４Ａ,３４Ｂの取付位置を変更することもできる。
【００４５】
なお、上記実施形態では、単心の光ファイバ心線１００の被覆１００ｂ，１０１ｂ，１０２ｂを除去する場合を例示して説明したが、上記光ファイバ被覆除去器１は、複数本の光ファイバが並列に配列されて一体化された多心の光ファイバテープ心線にも適用可能である。
【符号の説明】
【００４６】
１：光ファイバ被覆除去器、１０：被覆除去器本体、２０：光ファイバ固定部、２２：ホルダ搭載部、３０：被覆除去部、３２Ａ，３２Ｂ：被覆除去刃、３３Ａ，３３Ｂ：除去刃ベース部、３４Ａ，３４Ｂ：刃部、３５：取付孔、３６Ａ，３６Ｂ：エッジ部、４０：光ファイバ心線加熱部、５０：電源部、６０：電源コード、１００：光ファイバ心線、１００ａ，１０１ａ，１０２ａ：ガラスファイバ、１００ｂ，１０１ｂ，１０２ｂ：被覆、２００：光ファイバホルダ、ｄ，ｄ１，ｄ２：エッジ部同士の間隔
【図１】
2014038207.tif 000003
【図２】
2014038207.tif 000004
【図３】
2014038207.tif 000005
【図４】
2014038207.tif 000006
【図５】
2014038207.tif 000007
【図６】
2014038207.tif 000008
【図７】
2014038207.tif 000009
【図８】
2014038207.tif 000010